(57)【要約】      （修正有）【課題】屋外活動で専用のドリップポットを持ち出さずに、クッカーやカップなどの可搬性容器を使いドリッパー中心部へ、お湯を置くように優しく注ぎ入れることで美味しいコーヒーを容易に淹れることができるドリップコーヒー用簡易注ぎ口を提供する。【解決手段】リード２は側面視略Ｌ字状をなし、お湯に浸かる鉛直部分２−１と、鉛直部分から溢れたお湯を先端に導く、所定距離離れた一対のガイド２−２とで構成されている。前記一対のガイドは上に湾曲し、それらの間隔は、離れた一対のガイド２―２の間に表面張力でもってお湯が保持される間隔２−３に設定している。【選択図】図２
2020092729.tif 000002
【特許請求の範囲】
【請求項１】
容器内のお湯に浸した状態で前記容器内の縁に装着される簡易注ぎ口であって、前記簡易注ぎ口は、前記容器内のお湯を一筋の流路に形成して落下させる側面視略Ｌ字状のリードを備え、前記リードは、前記容器内のお湯に浸る部分から二又に分かれた一対のガイドを有し、該一対のガイドは、所定間隔離れており、該一対のガイドを下向きに傾斜させると、前記一対のガイドの間に前記お湯が挟まれた状態で落下することを特徴とする簡易注ぎ口。
【請求項２】
前記一対のガイドの上部には、カバーが設けられ、該カバーは、前記容器の過度な傾きによって、前記一対のガイドから溢れるお湯を前記一対のガイド内に留めることを特徴とする請求項１に記載の簡易注ぎ口。
【請求項３】
一端が前記一対のガイドの外側両側部に取り付けられ、他端が前記一対のガイドの先端から前方に飛び出て、前記一対のガイドから溢れるお湯を下から受けるノズルが設けられている請求項１または２に記載の簡易注ぎ口。
【請求項４】
前記一対のガイドの間に、リードサポートを配置した状態で、前記一対のガイドと前記リードサポートとの各間隔が前記容器から注がれるお湯を表面張力で保持して、前記一対のガイドの先端へ導く幅に設定されていることを特徴とした請求項２または３に記載の簡易注ぎ口。
【請求項５】
前記リードと前記カバーとで形成される流路には、上下に離間した烏口状のアーチガイドが取り付けられている請求項２から４の何れかに記載の簡易注ぎ口。
【請求項６】
前記リードのお湯に浸る部分には、前記容器の内壁に密着させる部材が設けられている請求項１に記載の簡易注ぎ口。
【請求項７】
前記部材が吸着板又は、前記容器に張り付く磁性体若しくは、前記お湯に浸る部分を前記容器の内壁に押し付ける押し付け部材である請求項６に記載の簡易注ぎ口。
【発明の詳細な説明】
【技術分野】
【０００１】
本発明は、可搬性容器から液体をドリップポットのように注ぐための簡易注ぎ口に関するものである。
【背景技術】
【０００２】
珈琲を抽出する方法として、ペーパードリップ式、ネルドリップ式、フレンチブレス式、サイフォン式など珈琲愛好家の嗜好に合わせて多数存在しており、その中で登山やハイキングなどの屋外活動で珈琲を抽出するには、可搬性が良く背負う荷物に負担の少ないペーパーフィルターを用いたドリップ式となる。この抽出方法の要点は、ドリッパー中心部に珈琲粉末が暴れないよう優しくお湯を置くように注ぎ入れ、珈琲粉末を蒸らした後、珈琲抽出量に関わらず一定時間をかけて抽出すると珈琲が美味しく仕上がる。抽出時間が短いと薄くコクのない珈琲に、抽出時間が長いと雑味を含む苦い珈琲となるので、優しく置くように注ぎ、注ぎ入れるお湯の量もコントロール可能なドリップポットが必要である。
【先行技術文献】
【特許文献】
【０００３】
【特許文献１】特開２０１０−１３１９１
【特許文献２】特開２０１２−９６８２２
【発明の概要】
【発明が解決しようとする課題】
【０００４】
家庭で使用するドリップポットを屋外活動に持ち出すには嵩高く重量が増加してしまう、また、カップやクッカーなどの可搬性容器による代用では、お湯を置くような柔らかな注ぎ量、注ぎによる珈琲抽出時間をコントロールする事ができない。そこで、これまでは、極力荷物を減らすために可搬性容器で妥協するか、荷物が増えてでもドリップポットを持ち出すかして珈琲抽出を行なっていた。
【０００５】
また先行文献１、２で取り上げた発明は、注ぎ口の無い容器縁に着脱可能な注ぎ口があるが、用途が違い、調理用ボウルや鍋から他容器への液体を移し替える考案である。これら着脱式の注ぎ口は、容器縁を挟み込み装着するので勢いよく移し替える用途には良いが、ドリップ式珈琲抽出は、満水近くお湯の入った容器に注ぎ口を装着してゆっくりと傾けながら注ぎ出すので、この時に挟み込んだ素材と容器との隙間から毛細管現象で容器縁を辿り伝い漏れが発生する欠点がある。
【０００６】
本発明は、上記の点に鑑みてなされたものであり、その目的は、軽量且つ容易に可搬性容器に装着することができ、これにより注ぎ時間をコントロールし美味しい珈琲を屋外活動で淹れる事が出来る着脱式の注ぎ口を提案する。
【課題を解決するための手段】
【０００７】
請求項１に記載の簡易注ぎ口は、容器内のお湯に浸した状態で前記容器内の縁に装着される簡易注ぎ口であって、前記簡易注ぎ口は、前記容器内のお湯を一筋の流路に形成して落下させる側面視略Ｌ字状のリードを備え、前記リードは、前記容器内のお湯に浸る部分から二又に分かれた一対のガイドを有し、該一対のガイドは、所定間隔離れており前記容器を前記一対のガイドに向かい傾斜させると、前記一対のガイドの間に前記お湯が挟まれた状態で落下することを特徴したものである。
【０００８】
請求項２に記載の簡易注ぎ口は、前記一対のガイドの上部にカバーが設けられ、該カバーは、前記容器の過度な傾きによって、前記一対のガイドから溢れるお湯を規制することを特徴とするものである。
【０００９】
請求項３に記載の簡易注ぎ口は、一端が前記一対のガイドの外側両側部に取り付けられ、他端が前記一対のガイドの先端から前方に飛び出て、前記一対のガイドから溢れるお湯を下から受けるノズルが設けられ、該ノズルは、受けたお湯を滑らかに先端側へ誘導することを特徴としたものである。
【００１０】
請求項４に記載の簡易注ぎ口は、前記一対のガイド間隔を広げて簡易注ぎ口の注ぎ能力を増加させる時に、表面張力を作用させるため、前記一対のガイドとの間に補助的ガイドのリードサポートが設けられており、該リードサポートは、前記容器内のお湯を表面張力で保持して前記一対のガイドの先端側へ導く幅に設定されていることを特徴としたものである。
【００１１】
請求項５に記載の簡易注ぎ口は、前記リードと前記カバーとで形成される流路には、上下に離間した烏口状のアーチガイドが取り付けられており、該アーチガイドは、前記一対のガイドの間まで誘導されたお湯をスムーズに前記ノズルに導く作用を特徴としたものである。
【００１２】
請求項６、７に記載の簡易注ぎ口は、前記リードのお湯に浸る部分には、容器の内壁に密着させる部材が設けられており、例えば磁石をリードのお湯に浸る部分に設置し、磁性体素材の容器であれば本発明品単体で装着、非磁性体素材の容器であれば、さらに外側から磁石を密着させて前記容器を挟み込んで装着できることを特徴としたものである。
【発明の効果】
【００１３】
請求項１に記載の発明によれば、側面視略Ｌ字状のリードを容器縁に装着することにより、前記容器内のお湯を、前記リードの先端から前方へアーチ状に注ぎ出しての使用が可能となる。また二又に分かれた一対のガイドは所定間隔離れている。具体的には、０．５ｍｍ程度開いている、これにより細く糸のように注ぐことができる。また太く注ぐには一対のガイド間隔を２．５ｍｍ程度に広げるのが好ましい。これにより、一対のガイド間に表面張力によってお湯が保持される。
【００１４】
請求項２に記載の発明によれば、一対のガイド上部に設けるカバーにより、前記容器の過度な傾きにより、前記一対のガイドから溢れるお湯を一対のガイド内に留めることができるので、前記容器を慎重に傾けなければならない動作が緩和され扱い方は容易となり、前記カバー先端から前方へアーチ状に注ぎ出しての使用が可能となる。
【００１５】
請求項３に記載の発明によれば、前記一対のガイドから溢れる、または、前記カバー先端から溢れるお湯をノズルでもって下から受けることができるので、前記ノズル先端から滑らかに垂直に落下させることができ、優しく置くような注ぎ方が可能となる。
【００１６】
請求項４に記載の発明によれば、リードサポートを前記一対のガイドの間に設けることにより、その容量を増加させることが可能となる。ドリップ珈琲に使用するフィルーターやドリッパーは１―２杯用、２−４杯用と二種類販売されているが、珈琲の抽出時間は、量に関わらず目安として変わらないので、抽出量によって前記リードサポートを増減させることができる。例えば前記リードサポートを１枚設けた時、前記容器から吸い込む水路は２本となり、前記リードサポートを２枚設ければ水路は３本となり、注ぎ出す容量を増加させることが可能となる。
【００１７】
請求項５に記載の発明によれば、前記リードと前記カバーとで形成される水路へ、アーチガイドを設けることにより、前記一対のガイドの間まで誘導されたお湯の流れをスムーズに前記ノズルまで導き、安定した水流で前記ノズル先端から更に優しく置くように注ぐことが可能となる。
【００１８】
請求項６に記載の発明によれば、リードのお湯の浸る部分を容器内壁に密着させる部材を設けたことにより、容器の内壁に沿わせてリードを容器に装着し利用することが可能になる。
【００１９】
請求項７に記載の発明によれば、陶器や磁器、金属製等の全ての容器の素材を選ばずに装着できる。特に屋外活動には可搬性容器の隙間に収めて持ち出すことができ、日常使いでも嵩高いドリップポットが不要となり、キッチンへの収納場所に困る事が無くなる。また冷酒などを嗜む時も専用の冷酒器が無くとも、気に入った器に本発明の簡易注ぎ口を装着すれば代用が可能である。

【図面の簡単な説明】
【００２０】
【図１】本発明の簡易注ぎ口全体の外観斜視図。
【図２】前記簡易注ぎ口の分解斜視図。
【図３】簡易注ぎ口を容器に装着して使用する時の説明図。
【図４】（ａ）は、リードだけで構成した簡易注ぎ口の使用状態を示す。（ｂ）は、使用状態の前記リードの角度を変えて見た時の使用状態を示す。
【図５】リードを図４（ｂ）の矢視方向から見た説明図で、一対のガイドの水路間隔を説明する図。
【図６】一対のガイドの断面形状の説明図で、（ａ）は、一対のガイド間に、お湯が保持された状態の説明図で、拡大指示位置をＡで示す。（ｂ）は、Ａ部拡大図。
【図７】（ａ）は、リードにカバーを設けた簡易注ぎ口の平面図、（ｂ）は、Ｂ−Ｂ断面図、（ｃ）は、Ａ−Ａ断面図。
【図８】（ａ）は、図７の簡の易注ぎ口に、さらにノズルを付けた簡易注ぎ口の平面図、（ｂ）は、Ｂ−Ｂ断面図、（ｃ）は、ＡーＡ断面図。
【図９】ノズル最深部からノズル先端部頂点に向けた最適角度の説明図で、（ａ）は、水の入った容器に簡易注ぎ口を装着した状態を示し、（ｂ）は、容器内のお湯が注ぎ出始める時の、簡易注ぎ口の傾斜の状態を示す。
【図１０】一対のガイド間にリードサポートを取り付けた簡易注ぎ口の説明図。（ａ）は、リードサポート取付け前、（ｂ）はリードサポート取付けた状態を示す。
【図１１】一対のガイド間に、お湯が保持された状態の説明図で、リードサポートの数を増やした時の水路を説明する図。
【図１２】一対のガイド底面とリードサポート底面のレベル差設定の説明図で、（ａ）は、一対のガイド部底面レベルを示し、（ｂ）は一対のガイド間にリードサポートを追加した時の底面レベル差を示す。
【図１３】（ａ）は、図８の簡易注ぎ口に、さらにアーチガイドを取付けた簡易注ぎ口の平面図、（ｂ）は、Ｂ−Ｂ断面図と、（ｃ）は、Ａ−Ａ断面図。
【図１４】リードサポートを二枚組み付けた時の上下に離間した烏口状のアーチガイドを説明する図である。（ａ）は、リードサポート間に二本構造のアーチガイドを取付けた状態を示す。（ｂ）は、三本構造による烏口状のアーチガイドを取付けた状態を示す。
【図１５】（ａ）は、簡易注ぎ口のお湯に浸る部分に磁石を取り付けて、磁性体容器に装着される説明図、（ｂ）は、容器が磁性体でない場合には、さらに外側から磁石を密着させて簡易注ぎ口を装着する説明図。
【発明を実施するための形態】
【００２１】
図１は、簡易注ぎ口１の全体斜視図、図２は、組み込まれた各部材の分解斜視図を示し、図３は、本発明を容器に装着し、お湯を注ぎ出している様子の使用説明図である。この簡易注ぎ口は、例えば評価用に耐熱性の合成樹脂で試作したものであるが、これには限定されず、例えば、金属製や陶器等であっても良い。
【００２２】
図２において、リード２は側面視略Ｌ字状をなし、お湯に浸かる鉛直部分２−１と、鉛直部分から溢れたお湯を先端に導く、所定距離離れた一対のガイド２−２とで構成されている。前記一対のガイドは上に湾曲し、それらの間隔は、離れた一対のガイド２―２の間に表面張力でもってお湯が保持される間隔２−３に設定している。図４は、リード２だけの簡易注ぎ口の使用状態を示し、図５は、図４（ｂ）の矢視方向からリード２を見た前記一対のガイドの間隔２−３の説明図を示す。この図において、細い水流とする時の間隔２−３−１は、例えば０．５ｍｍ程度、太い水流とする時の間隔２−３−２は、２．５ｍｍ程度とするのが好ましい。珈琲をドリップさせる時は、注ぎ量と注ぎ時間がコントロールできる間隔２−３−３として、１．５ｍｍ〜２．０ｍｍが好ましい。
【００２３】
図６は、図４（ｂ）の矢視方向からリード２を見た時の前記一対のガイドの間隔２−３が、お湯を保持した状態の説明図を示す。前記一対のガイド２−２の水路内下部のコーナー形状２−２−１は、水路内壁と底面とのコーナーを鋭角とし、表面張力によるお湯の保持力を強める形状としている。又、容器から注ぎ出す際に前記一対のガイド２−２の外側から伝うお湯を水路内に戻す為に、外壁下部コーナーの形状２ー２ー２は表面張力を弱めるためＲ形状とし、前記一対のガイド２−２水路下部から外側に向けた傾斜２−２−３を、例えば３度〜６度程度設ける事でお湯を水路内へ戻す作用を増す事ができる。
【００２４】
図７は、前記一対のガイド２−２にカバー３を取り付けた簡易注ぎ口を表しており、カバー３は、前記一対のガイドの上に湾曲した形状で、容器の過度な傾きによって、容器内のお湯が前記一対のガイドから溢れるのを規制する。
【００２５】
図８は、先端が下向きの側面視波状に湾曲したノズル４を、図７のカバー３の下に設けたものを表している。このノズル４は、一端が前記一対のガイド２−２の外側両側部２−４に取り付けられ、他端が前記一対のガイド２−２から前方に飛び出て、前記一対のガイド２−２から落ちるお湯を下から受けて滑らかにお湯を注ぐようにしている。
【００２６】
又、（図９）は、ノズル最深部４−１からノズル先端部頂点４−２に向けた最適角度の説明図である。（ａ）は、お湯の入った容器に簡易注ぎ口を装着した状態を示している。（ｂ）は、容器内のお湯が注ぎ出始める時の、前記ノズル最深部４−１から前記ノズル先端部頂点４−２に向けた傾斜の状態を示している。ドリップ珈琲に於ける重要な要素として、珈琲粉末を蒸らす作業にてポットから柔らかく溢れ出すように極力垂直にお湯を注ぐ。この状態を簡易注ぎ口で再現する為に、ノズル最深部４−１からノズル先端部頂点４−２までのノズルスロープ部４−２−１の傾斜角度４−２−２、ノズル最深部溝側壁頂点４−１−１からノズル先端部頂点４−２までの傾斜角度４−２−４、容器に入ったお湯の溢れ出始める角度４−３−１との関連付けを説明する。
【００２７】
図９（ｂ）の容器内のお湯が注ぎ出始める時の、ノズル最深部溝側壁頂点４−１−１からノズル先端部頂点４−２に向けた角度が水平の状態４−２−５を基準とした時、容器に入ったお湯の溢れ出始める角度４−３−１を大きく設定し、さらに、ノズル最深部４−１からノズル先端部頂点４−２に向けた傾斜４−２−３が大きくなるように設定する。以下に不等号で表すと、
ノズル最深部溝側壁頂点４−１−１からノズル先端部頂点４−２までの傾斜角度４−２−４＜容器に入ったお湯の溢れ出始める角度４−３−１＜ノズル最深部４−１から先端部頂点４−２までの角度４−２−２となるのが好ましい。
【００２８】
図１０は、前記一対のガイド間隔２−３を広げて簡易注ぎ口の注ぎ能力を増加させる一例である。この例では、表面張力を作用させるための補助的ガイドのリードサポート５を設けた説明図を示す。図１１において、前記リードサポート５を、お湯を表面張力で保持できる適度な間隔ｌａ〜ｌｄでもって、（ｂ）は、１枚、（ｃ）は、２枚、（ｄ）は、３枚と順次増した時の断面を示す。尚、図１１では、前記リードサポート５の断面を略三角形で表わしているのは、底辺があり、且つ鋭利な角を有した形状が好ましい。断面が逆三角形や樽型に対して、三角形や中央部がくびれた逆樽型が水路壁に対して水平な底面までの角度が大きくなり、これにより表面張力によるお湯の保持力を高められる。
【００２９】
図１２にて、前記一対のガイド間２−３へ前記リードサポート５を追加した時に、容器を傾けて簡易注ぎ口にお湯を誘い込む際、（ｂ）に示すように、一対のガイド底面２−２−４に対しリードサポート底面５−４を下方に段差５−４−１を設けることにより、注ぎ始めの容器内のお湯が前記リードサポート間に誘導された後、さらに容器を傾けると一対のガイド２−２とリードサポート５との間にお湯が誘導されるので、容器内のお湯を水路中央に集める作用を増す事ができる。尚、容器上端縁に接触する部分として、（ａ）は一対のガイド底面２−２−４であり、（ｂ）は、リードサポート底面５−４である。
【００３０】
図１３は、上下に離間した烏口状のアーチガイド６を図８のカバー３の下に設けたものを表している。一対のガイドの間隔２−３に流れるお湯の主流をスムーズに下部ノズル最深部４−１に導く作用をする。
【００３１】
図１４は、前記リード２に前記カバー３を組み合わせた後、前記リードサポート５を二枚組み付けた時の簡易注ぎ口を、前記カバー３先端斜め下側から前記カバー３後方を見た説明図を示す。（ａ）は、前記リードサポート間に上下に離間した前記アーチガイド６を取付けた状態を示しており、これにより中央の水流を前記ノズル最深部４ー１に誘導すると、両側の水流を中央に呼び込む事が可能となる。又、（ｂ）は、前記アーチガイド１本をリードサポート間に、前記リードサポート５の下部にそれぞれ１本の複数部品にて、上下に離間した烏口状のアーチガイド６にして取付けた状態を示しているが、これにより両側の水流をより確実に前記ノズル最深部４ー１へ誘導する事ができ、満水近くの容器から注ぎ始める際に、より優しく注ぎ出す事が可能となる。このように注ぎ量や用途により、前記アーチガイド６の配置位置や本数を増加減するのが好ましい。
【００３２】
図１５は、前記リードのお湯に浸る部分２―１へ、前記容器８、９の内壁に密着させる部材を取り付ける説明図である。（ａ）は、容器８が磁性体の場合に、その内側に密着させる部材として磁石７を用いた例であり、この場合には、磁石７は、お湯に浸る部分２−１に接着剤で固定されている。（ｂ）は、容器９が非磁性体である場合に、さらに容器９の外側から磁石１０で容器９を挟み込むように装着した例である。以上、本発明の実施形態を示したが、その他に、例えば簡易注ぎ口１を容器に固定するために、リード２のお湯に浸る部分２−１にＣ字型の反発リング、または、圧着棒などを取付けて、容器の内側で簡易注ぎ口１を固定するようにしても良い。
【符号の説明】
【００３３】
１          簡易注ぎ口全体の斜視図
２          リード
２−１      お湯に浸る部分
２−２      一対のガイド
２−２−１  一対のガイドの水路内下部コーナー
２−２−２  一対のガイドの外壁下部コーナー
２−２−３  一対のガイドの水路下部から外側に向けた傾斜
２−２−４  一対のガイドの底面レベル
２−３      一対のガイドの間隔（お湯が保持される隙間）
２−３−１  細い水流とした時の一対のガイドの隙間  
２−３−２  太い水流とした時の一対のガイドの隙間
２−３−３  ドリップに好ましい隙間
２−４      一対のガイド両側部（ノズル設置部）
３          カバー         
４          ノズル
４−１      ノズル最深部
４−１−１  ノズル最深部溝側壁頂点
４−２      ノズル先端部頂点
４−２−１  ノズルスロープ部
４−２−２  ノズルスロープ部角度
４−２−３  ノズルスロープ部傾斜
４−２−４  ノズル最深部溝側壁頂点から先端部頂点に向けた角度
４−２−５  ノズル最深部溝側壁頂点から先端部頂点に向けた角度が水平の状態
４−３      容器上端から水面までの高さ
４−３−１  容器に入ったお湯の溢れ出始める角度
５          リードサポート
５−１      リードサポート１枚追加した時の増加した水路
５−２      リードサポート２枚追加した時の増加した水路
５−３      リードサポート３枚追加した時の増加した水路
５−４      リードサポートの底面レベル
５−４−１  リードサポートと一対のガイドの底面レベル差
６          アーチガイド
７          磁石１
８          磁性体容器
９          非磁性体容器
１０        磁石２
【図１】
2020092729.tif 000003
【図２】
2020092729.tif 000004
【図３】
2020092729.tif 000005
【図４】
2020092729.tif 000006
【図５】
2020092729.tif 000007
【図６】
2020092729.tif 000008
【図７】
2020092729.tif 000009
【図８】
2020092729.tif 000010
【図９】
2020092729.tif 000011
【図１０】
2020092729.tif 000012
【図１１】
2020092729.tif 000013
【図１２】
2020092729.tif 000014
【図１３】
2020092729.tif 000015
【図１４】
2020092729.tif 000016
【図１５】
2020092729.tif 000017
【手続補正書】
【提出日】平成31年2月8日(2019.2.8)
【手続補正１】
【補正対象書類名】特許請求の範囲
【補正対象項目名】請求項１
【補正方法】変更
【補正の内容】
【請求項１】
容器内のお湯に浸した状態で前記容器内の縁に装着される簡易注ぎ口であって、前記簡易注ぎ口は、前記容器内のお湯を一筋の流路に形成して落下させる側面視略Ｌ字状のリードを備え、前記リードは、前記容器内のお湯に浸る部分から二又に分かれて注ぎ口に至る一対の分離したガイドを有し、該一対のガイドは、前記お湯を挟んだ状態で、底のない前記流路を形成しており、該一対のガイドを下向きに傾斜させると、前記一対の底のない前記流路に、前記お湯が挟まれた状態で落下することを特徴とする簡易注ぎ口。